【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
フレーム単位で連続的に入力された画像データを符号化する符号化装置において、
前記フレーム単位で連続的に入力された画像データに対して基準画像を設定し、前記画像データを前記基準画像に対応する第１の画像データと、前記基準画像以外の画像に対応する第２の画像データとに分離する分離手段と、
前記第１の画像データを、画素値が極値である画素の数を表す極値数を符号化・復号化の前後において保存するように符号化する第１の符号化手段と、
所定の処理が施された前記第２の画像データを、前記極値数に応じて符号化する第２の符号化手段と
を含むことを特徴とする符号化装置。
【請求項２】
前記画像データには、ノイズが付加されている
ことを特徴とする請求項１に記載の符号化装置。
【請求項３】
入力された前記画像データにノイズを付加するノイズ付加手段を
さらに含むことを特徴とする請求項１に記載の符号化装置。
【請求項４】
前記画像データは、少なくとも１度符号化された後、復号化されている
ことを特徴とする請求項１に記載の符号化装置。
【請求項５】
前記第１および第２の符号化手段の出力結果を復号化する復号化手段を
さらに含むことを特徴とする請求項１に記載の符号化装置。
【請求項６】
前記第１の符号化手段は、
前記第１の画像データを所定のサイズのブロックにブロック化するブロック化手段と、
前記各ブロックの各画素の画素値が極値であるか否かを判定する極値判定手段と、
前記極値判定手段によって極値と判定された画素値の凹凸を判定する凹凸判定手段と、
前記第１の画像データの各ブロックに対して、極値数と極値の画素値の凹凸が符号化・復号化後においても保存されるように、極小値については直下の量子化代表値に、極大値については直上の量子化代表値に変換する量子化を行う量子化手段とを含む
ことを特徴とする請求項１に記載の符号化装置。
【請求項７】
前記量子化手段による量子化は、ADRC(Adaptive Dynamic Range Coding)である
ことを特徴とする請求項６に記載の符号化装置。
【請求項８】
前記第１の符号化手段は、前記第１の画像データの符号化結果であることを示す情報と、前記ブロック毎に前記ADRCの結果である量子化コード、画素値の最小値、およびダイナミックレンジを符号化結果として出力する
ことを特徴とする請求項７に記載の符号化装置。
【請求項９】
前記第１の符号化手段による符号化結果を復号化する第１の局所復号化手段と、
前記第２の符号化手段による符号化結果を復号化する第２の局所復号化手段と、
第２の画像データと、前記第２の画像データの１枚前の前記第１または第２の画像データの符号化・復号化結果との差分からなる差分画像データを生成する差分画像データ生成手段とをさらに含み、
前記第２の符号化手段は、前記差分画像データを、前記差分画像データの極値数に応じて符号化する
ことを特徴とする請求項１に記載の符号化装置。
【請求項１０】
前記第２の符号化手段は、
前記差分画像データを所定のサイズのブロックにブロック化するブロック化手段と、
前記各ブロックの極値数を計算する極値数計算手段と、
前記各ブロックに対し、前記極値数に対応して各ブロックに含まれる画素の画素値と画素位置との関係を示す近似式の次数を決定する次数決定手段と、
前記各ブロックに含まれる画素の画素値と画素位置に基づく最小自乗法により前記近似式の各次数項の係数を算出する係数算出手段とを含む
ことを特徴とする請求項９に記載の符号化装置。
【請求項１１】
前記第２の符号化手段は、前記第２の画像データの符号化結果であることを示す情報と、前記ブロック毎に前記近似式の次数および各次数項の係数を符号化結果として出力する
ことを特徴とする請求項１０に記載の符号化装置。
【請求項１２】
前記第２の符号化手段は、
前記差分画像データを所定のサイズのブロックにブロック化するブロック化手段と、
前記各ブロックの極値数を計算する極値数計算手段と、
前記各ブロックに対して、極値数に対応して離散コサイン変換において画質を決定するためのパラメータであるクオリティを決定する決定手段と、
前記決定手段によって決定された前記クオリティに従って調整した量子化テーブルを用い、前記各ブロックにおける第２の画像データに離散コサイン変換を施す変換手段とを含む
ことを特徴とする請求項９に記載の符号化装置。
【請求項１３】
前記第２の符号化手段は、前記第２の画像データの符号化結果であることを示す情報と、前記ブロック毎に前記離散コサイン変換の結果である離散コサイン係数と前記クオリティを符号化結果として出力する
ことを特徴とする請求項１２に記載の符号化装置。
【請求項１４】
フレーム単位で連続的に入力された画像データを符号化する符号化方法において、
前記フレーム単位で連続的に入力された画像データに対して基準画像を設定し、前記画像データを前記基準画像に対応する第１の画像データと、前記基準画像以外の画像に対応する第２の画像データとに分離する分離ステップと、
前記第１の画像データを、画素値が極値である画素の数を表す極値数を符号化・復号化の前後において保存するように符号化する第１の符号化ステップと、
所定の処理が施された前記第２の画像データを、前記極値数に応じて符号化する第２の符号化ステップと
を含むことを特徴とする符号化方法。
【請求項１５】
フレーム単位で連続的に入力された画像データを符号化するためのプログラムであって、
前記フレーム単位で連続的に入力された画像データに対して基準画像を設定し、前記画像データを前記基準画像に対応する第１の画像データと、前記基準画像以外の画像に対応する第２の画像データとに分離する分離ステップと、
前記第１の画像データを、画素値が極値である画素の数を表す極値数を符号化・復号化の前後において保存するように符号化する第１の符号化ステップと、
所定の処理が施された前記第２の画像データを、前記極値数に応じて符号化する第２の符号化ステップと
を含むことを特徴とするコンピュータが読み取り可能なプログラムが記録されている記録媒体。
【請求項１６】
フレーム単位で連続的に入力された画像データを符号化するためのプログラムであって、
前記フレーム単位で連続的に入力された画像データに対して基準画像を設定し、前記画像データを前記基準画像に対応する第１の画像データと、前記基準画像以外の画像に対応する第２の画像データとに分離する分離ステップと、
前記第１の画像データを、画素値が極値である画素の数を表す極値数を符号化・復号化の前後において保存するように符号化する第１の符号化ステップと、
所定の処理が施された前記第２の画像データを、前記極値数に応じて符号化する第２の符号化ステップと
を含む処理をコンピュータに実行させることを特徴とするプログラム。
【請求項１７】
画素値が極値である画素の数を表す極値数が保存されて符号化されている第１の符号化画像データと、前記極値数に応じて符号化されている第２の符号化画像データからなる符号化データを復号化する復号化装置において、
前記符号化データを前記第１の符号化画像データと前記第２の符号化画像データに分離する分離手段と、
分離された前記第１の符号化画像データを復号化し、第１の復号化データを生成する第１の復号化手段と、
分離された前記第２の符号化画像データを復号化し、第２の復号化データを生成する第２の復号化手段と
を含むことを特徴とする復号化装置。
【請求項１８】
前記第１の復号化手段は、
前記第１の符号化画像データに逆ADRC(Adaptive Dynamic Range Coding)を施して、
所定のサイズのブロック単位で前記第１の復号化データを生成する逆量子化手段と、
前記第１の復号化データの各ブロックの各画素の画素値が極値であるか否かを判定する極値判定手段と、
前記極値判定手段によって極値と判定された画素値の凹凸を判定する凹凸判定手段と、
前記第１の復号化データの画素値を、極小値については所定の値だけ増加させ、極大値については所定の値だけ減少させることによって調整する調整手段とを含む
ことを特徴とする請求項１７に記載の復号化装置。
【請求項１９】
前記第２の復号化データと前記第１の復号化データを合成して合成画像データを生成する合成手段をさらに含み、
前記合成手段は、前記第２の復号化データと前記第２の復号化データの１枚前に合成した前記合成データも合成して、次の合成データを生成する
ことを特徴とする請求項１７に記載の復号化装置。
【請求項２０】
前記第２の復号化手段は、
前記第２の符号化画像データから、前記第２の復号化データを構成する各ブロックについて、各ブロックに含まれる画素の画素値と画素位置の関係を示す近似式の次数および各次数項の係数を抽出する抽出手段と、
抽出された前次数および前記係数に基づいて前記近似式を生成し、生成した前記近似式に画素位置を代入することにより、前記第２の復号化データの画素値を算出する算出手段とを含む
ことを特徴とする請求項１７に記載の復号化装置。
【請求項２１】
前記第２の復号化手段は、
前記第２の符号化画像データから、前記第２の復号化データを構成する各ブロックについて、離散コサイン変換の結果である離散コサイン係数と、離散コサイン変換において画質を決定するためのパラメータであるクオリティを抽出する抽出手段と、
抽出された前記クオリティに従って調整した量子化テーブルを用いて、前記離散コサイン係数に逆離散コサイン変換を施すことにより、前記第２の復号化データの画素値を算出する算出手段とを含む
ことを特徴とする請求項１７に記載の復号化装置。
【請求項２２】
画素値が極値である画素の数を表す極値数が保存されて符号化されている第１の符号化画像データと、前記極値数に応じて符号化されている第２の符号化画像データからなる符号化データを復号化する復号化方法において、
前記符号化データを前記第１の符号化画像データと前記第２の符号化画像データに分離する分離ステップと、
分離された前記第１の符号化画像データを復号化し、第１の復号化データを生成する第１の復号化ステップと、
分離された前記第２の符号化画像データを復号化し、第２の復号化データを生成する第２の復号化ステップと
を含むことを特徴とする復号化方法。
【請求項２３】
画素値が極値である画素の数を表す極値数が保存されて符号化されている第１の符号化画像データと、前記極値数に応じて符号化されている第２の符号化画像データからなる符号化データを復号化するためのプログラムであって、
前記符号化データを前記第１の符号化画像データと前記第２の符号化画像データに分離する分離ステップと、
分離された前記第１の符号化画像データを復号化し、第１の復号化データを生成する第１の復号化ステップと、
分離された前記第２の符号化画像データを復号化し、第２の復号化データを生成する第２の復号化ステップと
を含むことを特徴とするコンピュータが読み取り可能なプログラムが記録されている記録媒体。
【請求項２４】
画素値が極値である画素の数を表す極値数が保存されて符号化されている第１の符号化画像データと、前記極値数に応じて符号化されている第２の符号化画像データからなる符号化データを復号化するためのプログラムであって、
前記符号化データを前記第１の符号化画像データと前記第２の符号化画像データに分離する分離ステップと、
分離された前記第１の符号化画像データを復号化し、第１の復号化データを生成する第１の復号化ステップと、
分離された前記第２の符号化画像データを復号化し、第２の復号化データを生成する第２の復号化ステップと
を含む処理をコンピュータに実行させることを特徴とするプログラム。
【請求項２５】
画像データを符号化する符号化部と、前記符号化部の出力を復号化する復号化部とを備え、前記画像データに対して符号化と復号化を繰り返すと前記画像データが劣化される画像処理システムにおいて、
前記符号化部は、
フレーム単位で連続的に入力された画像データに対して基準画像を設定し、前記画像データを前記基準画像に対応する第１の画像データと、前記基準画像以外の画像に対応する第２の画像データとに分離する分離手段と、
前記第１の画像データを、画素値が極値である画素の数を表す極値数を符号化・復号化の前後において保存するように符号化する第１の符号化手段と、
所定の処理が施された前記第２の画像データを、前記極値数に応じて符号化する第２の符号化手段と
を含む
ことを特徴とする画像処理システム。
【請求項２６】
画像データを符号化する符号化部と、前記符号化部の出力を復号化する復号化部とを備え、前記画像データに対して符号化と復号化を繰り返すと前記画像データが劣化される画像処理システムにおいて、
前記復号化部は、
画素値が極値である画素の数を表す極値数が保存されて符号化されている第１の符号化画像データと、前記極値数に応じて符号化されている第２の符号化画像データからなる符号化データを前記第１の符号化画像データと前記第２の符号化画像データに分離する分離手段と、
分離された前記第１の符号化画像データを復号化し、第１の復号化データを生成する第１の復号化手段と、
分離された前記第２の符号化画像データを復号化し、第２の復号化データを生成する第２の復号化手段とを含む
ことを特徴とする画像処理システム。
【手続補正２】
【補正対象書類名】明細書
【補正対象項目名】発明の名称
【補正方法】変更
【補正の内容】
【発明の名称】符号化装置および方法、記録媒体、プログラム、並びに画像処理システム
【手続補正３】
【補正対象書類名】明細書
【補正対象項目名】０００１
【補正方法】変更
【補正の内容】
【０００１】
本発明は、符号化装置および方法、記録媒体、プログラム、並びに画像処理システムに関し、特に、アナログデータのコピーを抑止する場合に用いて好適な符号化装置および方法、記録媒体、プログラム、並びに画像処理システムに関する。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】
【手続補正２０】
【補正対象書類名】明細書
【補正対象項目名】００５２
【補正方法】削除
【補正の内容】
【手続補正２１】
【補正対象書類名】明細書
【補正対象項目名】００５３
【補正方法】削除
【補正の内容】
【手続補正２２】
【補正対象書類名】明細書
【補正対象項目名】００５４
【補正方法】削除
【補正の内容】
【手続補正２３】
【補正対象書類名】明細書
【補正対象項目名】００５５
【補正方法】削除
【補正の内容】
【手続補正２４】
【補正対象書類名】明細書
【補正対象項目名】００５６
【補正方法】削除
【補正の内容】
【手続補正２５】
【補正対象書類名】明細書
【補正対象項目名】００５７
【補正方法】変更
【補正の内容】
【００５７】
本発明の第１の画像処理システムにおいては、符号化部により、フレーム単位で連続的に入力された画像データに対して基準画像が設定され、画像データが基準画像に対応する第１の画像データと、基準画像以外の画像に対応する第２の画像データとに分離される。そして、第１の画像データが、画素値が極値である画素の数を表す極値数を符号化・復号化の前後において保存するように符号化され、所定の処理が施された第２の画像データが、極値数に応じて符号化される。
【手続補正２６】
【補正対象書類名】明細書
【補正対象項目名】００５９
【補正方法】削除
【補正の内容】
【手続補正２７】
【補正対象書類名】明細書
【補正対象項目名】００６０
【補正方法】削除
【補正の内容】
【手続補正２８】
【補正対象書類名】明細書
【補正対象項目名】００６１
【補正方法】削除
【補正の内容】
【手続補正２９】
【補正対象書類名】明細書
【補正対象項目名】００６２
【補正方法】変更
【補正の内容】
【００６２】
本発明の第２の画像処理システムにおいては、復号化部により、符号化データが第１の符号化画像データと第２の符号化画像データに分離され、分離された第１の符号化画像データが復号化されて第１の復号化データが生成され、分離された第２の符号化画像データが復号化されて第２の復号化データが生成される。
【手続補正３０】
【補正対象書類名】明細書
【補正対象項目名】００７４
【補正方法】削除
【補正の内容】
【手続補正３１】
【補正対象書類名】明細書
【補正対象項目名】００７５
【補正方法】削除
【補正の内容】
【手続補正３２】
【補正対象書類名】明細書
【補正対象項目名】００７６
【補正方法】削除
【補正の内容】
【手続補正３３】
【補正対象書類名】明細書
【補正対象項目名】００７７
【補正方法】削除
【補正の内容】
【手続補正３４】
【補正対象書類名】明細書
【補正対象項目名】００７８
【補正方法】削除
【補正の内容】
【手続補正３５】
【補正対象書類名】明細書
【補正対象項目名】００７９
【補正方法】変更
【補正の内容】
【００７９】
請求項１７に記載の復号化装置（例えば、図１の復号化部３１−２）は、符号化データを第１の符号化画像データと第２の符号化画像データに分離する分離手段（例えば、図８のデータ分離部６１）と、分離された第１の符号化画像データを復号化し、第１の復号化データを生成する第１の復号化手段（例えば、図８の基準画像復号化部６２）と、分離された第２の符号化画像データを復号化し、第２の復号化データを生成する第２の復号化手段（例えば、図８の差分画像復号化部６３）とを含む。
【手続補正３６】
【補正対象書類名】明細書
【補正対象項目名】００８０
【補正方法】変更
【補正の内容】
【００８０】
請求項１８に記載の第１の復号化手段（例えば、図２０の基準画像復号化部６２）は、第１の符号化画像データに逆ADRCを施して、所定のサイズのブロック単位で第１の復号化データを生成する逆量子化手段（例えば、図２０の逆ADRC部８１）と、第１の復号化データの各ブロックの各画素の画素値が極値であるか否かを判定する極値判定手段（例えば、図２０の極値判定部８２）と、極値判定手段によって極値と判定された画素値の凹凸を判定する凹凸判定手段（例えば、図２０の凹凸判定部８３）と、第１の復号化データの画素値を、極小値については所定の値だけ増加させ、極大値については所定の値だけ減少させることによって調整する調整手段（例えば、図２０の調整部８４）とを含む。
【手続補正３７】
【補正対象書類名】明細書
【補正対象項目名】００８１
【補正方法】変更
【補正の内容】
【００８１】
請求項１９に記載の復号化装置は、第２の復号化データと第１の復号化データを合成して合成画像データを生成する合成手段（例えば、図２０の加算部６４）をさらに含み、合成手段は、第２の復号化データと第２の復号化データの１枚前に合成した合成データも合成して、次の合成データを生成する。
【手続補正３８】
【補正対象書類名】明細書
【補正対象項目名】００８２
【補正方法】変更
【補正の内容】
【００８２】
請求項２０に記載の第２の復号化手段（例えば、図２０の差分画像復号化部６３）は、第２の符号化画像データから、第２の復号化データを構成する各ブロックについて、各ブロックに含まれる画素の画素値と画素位置の関係を示す近似式の次数および各次数項の係数を抽出する抽出手段（例えば、図２０のｉ・ｗk検出部８５）と、抽出された前次数および係数に基づいて近似式を生成し、生成した近似式に画素位置を代入することにより、第２の復号化データの画素値を算出する算出手段（例えば、図２０の２次元ｉ次多項式生成部８６、および画素値演算部８７）とを含む。
【手続補正３９】
【補正対象書類名】明細書
【補正対象項目名】００８３
【補正方法】変更
【補正の内容】
【００８３】
請求項２１に記載の第２の復号化手段（例えば、図２８の差分画像復号化部６３）は、第２の符号化画像データから、第２の復号化データを構成する各ブロックについて、離散コサイン変換の結果である離散コサイン係数と、離散コサイン変換において画質を決定するためのパラメータであるクオリティを抽出する抽出手段（例えば、図２８のクオリティ検出部１０１）と、抽出されたクオリティに従って調整した量子化テーブルを用いて、離散コサイン係数に逆離散コサイン変換を施すことにより、第２の復号化データの画素値を算出する算出手段（例えば、図２８の量子化テーブル調整部１０２、および逆DCT部１０３）とを含む。
【手続補正４０】
【補正対象書類名】明細書
【補正対象項目名】００８４
【補正方法】変更
【補正の内容】
【００８４】
請求項２２に記載の符号化方法は、符号化データを第１の符号化画像データと第２の符号化画像データに分離する分離ステップ（例えば、図９のステップＳ２１）と、分離された第１の符号化画像データを復号化し、第１の復号化データを生成する第１の復号化ステップ（例えば、図９のステップＳ２２）と、分離された第２の符号化画像データを復号化し、第２の復号化データを生成する第２の復号化ステップ（例えば、図９のステップＳ２４）とを含む。
【手続補正４１】
【補正対象書類名】明細書
【補正対象項目名】００８５
【補正方法】削除
【補正の内容】
【手続補正４２】
【補正対象書類名】明細書
【補正対象項目名】００８６
【補正方法】削除
【補正の内容】
【手続補正４３】
【補正対象書類名】明細書
【補正対象項目名】００８７
【補正方法】削除
【補正の内容】
【手続補正４４】
【補正対象書類名】明細書
【補正対象項目名】００８８
【補正方法】削除
【補正の内容】
【手続補正４５】
【補正対象書類名】明細書
【補正対象項目名】００８９
【補正方法】変更
【補正の内容】
【００８９】
請求項２５に記載の画像処理システム（例えば、図１の画像表示システム１）は、符号化部（例えば、図１の符号化部２２−２）が、フレーム単位で連続的に入力された画像データに対して基準画像を設定し、画像データを基準画像に対応する第１の画像データと、基準画像以外の画像に対応する第２の画像データとに分離する分離手段（例えば、図６の基準画像抽出部５１）と、第１の画像データを、画素値が極値である画素の数を表す極値数を符号化・復号化の前後において保存するように符号化する第１の符号化手段（例えば、図６の基準画像符号化部５２）と、所定の処理が施された第２の画像データを、極値数に応じて符号化する第２の符号化手段（例えば、図６の差分画像符号化部５５）とを含む。
【手続補正４６】
【補正対象書類名】明細書
【補正対象項目名】００９０
【補正方法】削除
【補正の内容】
【手続補正４７】
【補正対象書類名】明細書
【補正対象項目名】００９１
【補正方法】削除
【補正の内容】
【手続補正４８】
【補正対象書類名】明細書
【補正対象項目名】００９２
【補正方法】削除
【補正の内容】
【手続補正４９】
【補正対象書類名】明細書
【補正対象項目名】００９３
【補正方法】削除
【補正の内容】
【手続補正５０】
【補正対象書類名】明細書
【補正対象項目名】００９４
【補正方法】削除
【補正の内容】
【手続補正５１】
【補正対象書類名】明細書
【補正対象項目名】００９５
【補正方法】変更
【補正の内容】
【００９５】
請求項２６に記載の画像処理システム（例えば、図１の画像処理システム１）は、復号化部（例えば、図１の再生装置１４の復号化部３１−１）が、画素値が極値である画素の数を表す極値数が保存されて符号化されている第１の符号化画像データと、極値数に応じて符号化されている第２の符号化画像データからなる符号化データを第１の符号化画像データと第２の符号化画像データに分離する分離手段（例えば、図８のデータ分離部６１）と、分離された第１の符号化画像データを復号化し、第１の復号化データを生成する第１の復号化手段（例えば、図８の基準画像復号化部６２）と、分離された第２の符号化画像データを復号化し、第２の復号化データを生成する第２の復号化手段（例えば、図８の差分画像復号化部６３）とを含む。
【手続補正５２】
【補正対象書類名】明細書
【補正対象項目名】００９６
【補正方法】削除
【補正の内容】
【手続補正５３】
【補正対象書類名】明細書
【補正対象項目名】００９７
【補正方法】削除
【補正の内容】
【手続補正５４】
【補正対象書類名】明細書
【補正対象項目名】００９８
【補正方法】削除
【補正の内容】